(57)【要約】【課題】必要な場合に、携帯電話端末の外部から、呼び出しの音圧を最大にするなどの設定変更を行うことができるようにする。【解決手段】制御部１０３は、携帯電話１にメール着信が有ると、着信したメール本文に、着呼時に音圧最大で鳴音するなどの“携帯電話捜索モード”への設定変更に対して指定された設定変更キーである“＠＠１”およびそれに続く“ＸＸＸＸ”がパスワードと一致するかどうかを照合する。この照合で一致すると、制御部１０３は、マナーモードを一時解除し、着信時の報知用スピーカ１０７による音圧レベルを最大にする。その後、通話呼び出しに対して使用者がフックＯＦＦして電話に出るか、電源スイッチの操作により、“携帯電話捜索モード”は解除される。【選択図】        図３
2004328245.tif 000002
【特許請求の範囲】
【請求項１】
無線通信を行う無線通信手段を備え、メールの受信機能を有する携帯電話端末であって、
設定を変更する変更内容を特定する設定変更キー、および該設定変更キーに対するパスワードを格納した格納手段と、
受信したメールに前記設定変更キーおよび該設定変更キーに対するパスワードが含まれているか否かを検知し、含まれていることが検知された場合に検知された前記設定変更キーにより特定される変更内容の設定変更を行うように制御する制御手段と、を備えたことを特徴とする携帯電話端末。
【請求項２】
前記制御手段は、前記設定変更キーを含む前記メールを受信後、着信呼に対して応答したことを検出すると、前記設定変更を解除することを特徴とする請求項１記載の携帯電話端末。
【請求項３】
電源のＯＮ／ＯＦＦを切り替える電源切り替え手段を備え、
前記制御手段は、前記設定変更キーを含む前記メールを受信後、前記電源切り替え手段からＯＮ／ＯＦＦの切り替えが入力されると、前記設定変更を解除することを特徴とする請求項１または２記載の携帯電話端末。
【請求項４】
前記携帯電話端末は、複数の装置本体が変形可能に構成されてなり、
前記制御手段は、前記設定変更キーを含む前記メールを受信後、前記複数の装置本体が変形されたことを検出すると、前記設定変更を解除することを特徴とする請求項１から３の何れか１項に記載の携帯電話端末。
【請求項５】
前記複数の装置本体は、２つの装置本体がヒンジ部を介して接続されて折り畳み式により変形可能とされ、
前記制御手段は、前記２つの装置本体が開状態と閉状態とを切り替えられたことを検出すると、前記設定変更を解除することを特徴とする請求項４記載の携帯電話端末。
【請求項６】
前記制御手段は、前記設定変更が行われると、予め定められた一定時間、該設定変更を再度行うことを拒否することを特徴とする請求項１から５の何れか１項に記載の携帯電話端末。
【請求項７】
着呼の際に、鳴音により報知する鳴音報知手段を備え、
前記設定変更キーにより特定される変更内容は、呼び出しの音圧を最大にする設定変更であることを特徴とする請求項１から６の何れか１項に記載の携帯電話端末。
【請求項８】
着呼の際に、鳴音により報知する鳴音報知手段を備え、
前記設定変更キーにより特定される変更内容は、呼び出しの音量を消す設定変更であることを特徴とする請求項１から６の何れか１項に記載の携帯電話端末。
【請求項９】
無線通信を行う無線通信手段を備え、メールの受信機能を有する携帯電話端末の設定変更方法であって、
受信したメールに、設定を変更する変更内容を特定する設定変更キー、および該設定変更キーに対するパスワードが含まれているか否かを検知する検知工程と、
前記検知工程により前記設定変更キーが含まれていると検知されると、検知された該設定変更キーにより特定される変更内容の設定変更を行う設定変更工程と、を備えたことを特徴とする携帯電話端末の設定変更方法。
【請求項１０】
前記設定変更工程の後、前記携帯電話端末の装置本体に対して所定の操作が行われると、該設定変更工程での設定変更を解除する設定変更解除工程を備えたことを特徴とする請求項９記載の携帯電話端末の設定変更方法。
【請求項１１】
前記設定変更解除工程における前記所定の操作は、着信呼への応答であることを特徴とする請求項１０記載の携帯電話端末の設定変更方法。
【請求項１２】
前記設定変更解除工程における前記所定の操作は、電源のＯＮ／ＯＦＦ切り替えであることを特徴とする請求項１０記載の携帯電話端末の設定変更方法。
【請求項１３】
前記携帯電話端末は、複数の装置本体が変形可能に構成されてなり、
前記設定変更解除工程における前記所定の操作は、前記複数の装置本体の変形であることを特徴とする請求項１０記載の携帯電話端末の設定変更方法。
【請求項１４】
前記複数の装置本体は、２つの装置本体がヒンジ部を介して接続されて折り畳み式により変形可能とされ、
前記設定変更解除工程における前記所定の操作は、前記２つの装置本体を開状態と閉状態とで切り替える操作であることを特徴とする請求項１３記載の携帯電話端末の設定変更方法。
【請求項１５】
前記設定変更工程により設定変更が行われると、予め定められた一定時間、該設定変更を再度行うことを拒否することを特徴とする請求項９から１４の何れか１項に記載の携帯電話端末の設定変更方法。
【請求項１６】
前記設定変更工程における変更内容は、呼び出しの音圧を最大にする設定変更であることを特徴とする請求項９から１５の何れか１項に記載の携帯電話端末の設定変更方法。
【請求項１７】
前記設定変更工程における変更内容は、呼び出しの音量を消す設定変更であることを特徴とする請求項９から１５の何れか１項に記載の携帯電話端末の設定変更方法。
【請求項１８】
無線通信を行う無線通信手段を備え、メールの受信機能を有する携帯電話端末のプログラムであって、
前記携帯電話端末に、
設定を変更する変更内容を特定する設定変更キー、および該設定変更キーに対するパスワードが受信したメールに含まれているか否かを検知する検知処理と、
前記検知処理により前記設定変更キーが含まれていると検知されると、検知された該設定変更キーにより特定される変更内容の設定変更を行う設定変更処理と、を実行させることを特徴とする携帯電話端末のプログラム。
【請求項１９】
前記設定変更処理の後、前記携帯電話端末の装置本体に対して所定の操作が行われると、該設定変更処理での設定変更を解除する設定変更解除処理を実行させることを特徴とする請求項１８記載の携帯電話端末のプログラム。
【請求項２０】
前記設定変更解除処理における前記所定の操作は、着信呼への応答であることを特徴とする請求項１９記載の携帯電話端末のプログラム。
【請求項２１】
前記設定変更解除処理における前記所定の操作は、電源のＯＮ／ＯＦＦ切り替えであることを特徴とする請求項１９記載の携帯電話端末のプログラム。
【請求項２２】
前記携帯電話端末は、複数の装置本体が変形可能に構成されてなり、
前記設定変更解除処理における前記所定の操作は、前記複数の装置本体の変形であることを特徴とする請求項１９記載の携帯電話端末のプログラム。
【請求項２３】
前記複数の装置本体は、２つの装置本体がヒンジ部を介して接続されて折り畳み式により変形可能とされ、
前記設定変更解除処理における前記所定の操作は、前記２つの装置本体を開状態と閉状態とで切り替える操作であることを特徴とする請求項２２記載の携帯電話端末のプログラム。
【請求項２４】
前記設定変更処理により設定変更を行わせると、予め定められた一定時間、該設定変更を再度行うことを拒否させることを特徴とする請求項１８から２３の何れか１項に記載の携帯電話端末のプログラム。
【請求項２５】
前記設定変更処理における変更内容は、呼び出しの音圧を最大にする設定変更であることを特徴とする請求項１８から２４の何れか１項に記載の携帯電話端末のプログラム。
【請求項２６】
前記設定変更処理における変更内容は、呼び出しの音量を消す設定変更であることを特徴とする請求項１８から２４の何れか１項に記載の携帯電話端末のプログラム。
【発明の詳細な説明】
【０００１】
【発明の属する技術分野】
本発明は、携帯電話端末、該端末の設定変更方法、および該端末のプログラムに関し、特に、所在を用意に認識させる機能を備えた携帯電話端末、該端末の設定変更方法、および該端末のプログラムに関する。
【０００２】
【従来の技術】
一般に、携帯電話端末は、小型であるため、持ち運びに便利である反面、紛失の危険性も大きくなってしまう。例えば、机や引出しの隙間などに落としてしまうと、探し出すのに大変苦労することとなってしまう。
また、携帯電話端末は、公共の場での迷惑回避のため、マナーモードのような、無音呼出（バイブレータによる振動呼出）を行うモードを備えているものが多くあるため、このモードに設定されている場合や、鳴音レベルを小さくするように設定されている場合には、紛失した携帯電話端末を探すのに使用者が大変苦労することとなる。
【０００３】
この問題に対して、特開２００２−１２５００９号公報（特許文献１）のものは、携帯電話端末機器にマナーモード強制解除用コール回数メモリ部を設け、マナーモード設定時に、着信コール回数が記憶されているコール回数以上となった時点でマナーモードを解除するものである。
【０００４】
また、特開２００２−３１４６４１号公報（特許文献２）のものは、予め発信元確認用の電話番号、メールアドレスと、認証ＫＥＹとを有し、外部から着信の際には発信元電話番号及び認証ＫＥＹ情報の認証を行い、外部からメール受信の際には受信したメールのメールアドレス及び認証ＫＥＹ情報の認証を行い、その認証がＯＫの場合に、外部設定変更モードへ移行するものである。
【０００５】
【特許文献１】
特開２００２−１２５００９号公報
【特許文献２】
特開２００２−３１４６４１号公報
【０００６】
【発明が解決しようとする課題】
しかしながら、上述した特許文献１のものは、使用者がマナーモードにしておきたい状況であっても、マナーモード強制解除用コール回数以上の連続呼び出しを発呼されると、マナーモードが解除されてしまい、サウンダが最大鳴音での鳴音を始めてしまう。
【０００７】
また、上述した特許文献２のものは、予め設定された発信元確認用の電話番号またはメールアドレスにより外部設定変更モードに移行させることができる好適なものであるが、予め設定されている電話番号またはメールアドレスからしか外部設定変更モードに移行させることができないため、例えば、携帯電話端末の紛失に気付いた時に近くにいる友人の携帯電話を借りて探すといったことまではできないものであった。
また、携帯電話端末を紛失した際に使用者が一人で探そうとすると、設定された電話番号を持つ携帯電話、または設定されたメールアドレスによりメール送信可能なノートＰＣなどを紛失場所付近に用意する必要があった。
【０００８】
本発明はこのような状況に鑑みてなされたものであり、電話番号やメールアドレスを固定されることなく、必要な場合に、携帯電話端末の外部から、呼び出しの音圧を最大にするなどの設定変更を行うことができる携帯電話端末、該端末の設定変更方法、および該端末のプログラムを提供することを目的とする。
【０００９】
【課題を解決するための手段】
かかる目的を達成するために、本発明は以下の特徴を有する。
請求項１記載の発明は、無線通信を行う無線通信手段を備え、メールの受信機能を有する携帯電話端末であって、設定を変更する変更内容を特定する設定変更キー、および該設定変更キーに対するパスワードを格納した格納手段と、受信したメールに設定変更キーおよび該設定変更キーに対するパスワードが含まれているか否かを検知し、含まれていることが検知された場合に検知された設定変更キーにより特定される変更内容の設定変更を行うように制御する制御手段と、を備えたことを特徴とする。
なお、上記した設定変更キーは、記号、文字、またはそれらの組み合わせによりなり、設定変更の対象である機能１つに対して予め１つの設定変更キーが割り当てられている。
【００１０】
請求項２記載の発明は、上記した制御手段が、設定変更キーを含むメールを受信後、着信呼に対して応答したことを検出すると、設定変更を解除することを特徴とする。
【００１１】
請求項３記載の発明は、電源のＯＮ／ＯＦＦを切り替える電源切り替え手段を備え、上記した制御手段が、設定変更キーを含むメールを受信後、電源切り替え手段からＯＮ／ＯＦＦの切り替えが入力されると、設定変更を解除することを特徴とする。
【００１２】
請求項４記載の発明は、本発明に係る携帯電話端末が、複数の装置本体が変形可能に構成されてなり、上記した制御手段は、設定変更キーを含むメールを受信後、複数の装置本体が変形されたことを検出すると、設定変更を解除することを特徴とする。
【００１３】
請求項５記載の発明は、上記した複数の装置本体が、２つの装置本体がヒンジ部を介して接続されて折り畳み式により変形可能とされ、上記した制御手段は、２つの装置本体が開状態と閉状態とを切り替えられたことを検出すると、設定変更を解除することを特徴とする。
【００１４】
請求項６記載の発明は、上記した制御手段が、設定変更が行われると、予め定められた一定時間、該設定変更を再度行うことを拒否することを特徴とする。
【００１５】
請求項７記載の発明は、着呼の際に、鳴音により報知する鳴音報知手段を備え、上記した設定変更キーにより特定される変更内容は、呼び出しの音圧を最大にする設定変更であることを特徴とする。
【００１６】
請求項８記載の発明は、着呼の際に、鳴音により報知する鳴音報知手段を備え、上記した設定変更キーにより特定される変更内容は、呼び出しの音量を消す設定変更であることを特徴とする。
【００１７】
請求項９記載の発明は、無線通信を行う無線通信手段を備え、メールの受信機能を有する携帯電話端末の設定変更方法であって、受信したメールに、設定を変更する変更内容を特定する設定変更キー、および該設定変更キーに対するパスワードが含まれているか否かを検知する検知工程と、検知工程により設定変更キーが含まれていると検知されると、検知された該設定変更キーにより特定される変更内容の設定変更を行う設定変更工程と、を備えたことを特徴とする。
なお、上記した設定変更キーは、記号、文字、またはそれらの組み合わせによりなり、設定変更の対象である機能１つに対して予め１つの設定変更キーが割り当てられている。
【００１８】
請求項１０記載の発明は、上記設定変更工程の後、携帯電話端末の装置本体に対して所定の操作が行われると、該設定変更工程での設定変更を解除する設定変更解除工程を備えたことを特徴とする。
【００１９】
請求項１１記載の発明は、設定変更解除工程における上記した所定の操作が、着信呼への応答であることを特徴とする。
【００２０】
請求項１２記載の発明は、設定変更解除工程における上記した所定の操作が、電源のＯＮ／ＯＦＦ切り替えであることを特徴とする。
【００２１】
請求項１３記載の発明は、本発明に係る携帯電話端末が、複数の装置本体が変形可能に構成されてなり、設定変更解除工程における上記した所定の操作は、複数の装置本体の変形であることを特徴とする。
【００２２】
請求項１４記載の発明は、上記した複数の装置本体が、２つの装置本体がヒンジ部を介して接続されて折り畳み式により変形可能とされ、設定変更解除工程における上記した所定の操作は、２つの装置本体を開状態と閉状態とで切り替える操作であることを特徴とする。
【００２３】
請求項１５記載の発明は、上記設定変更工程により設定変更が行われると、予め定められた一定時間、該設定変更を再度行うことを拒否することを特徴とする。
【００２４】
請求項１６記載の発明は、設定変更工程における上記した変更内容が、呼び出しの音圧を最大にする設定変更であることを特徴とする。
【００２５】
請求項１７記載の発明は、設定変更工程における上記した変更内容が、呼び出しの音量を消す設定変更であることを特徴とする。
【００２６】
請求項１８記載の発明は、無線通信を行う無線通信手段を備え、メールの受信機能を有する携帯電話端末のプログラムであって、携帯電話端末に、設定を変更する変更内容を特定する設定変更キー、および該設定変更キーに対するパスワードが受信したメールに含まれているか否かを検知する検知処理と、検知処理により設定変更キーが含まれていると検知されると、検知された該設定変更キーにより特定される変更内容の設定変更を行う設定変更処理と、を実行させることを特徴とする。
なお、上記した設定変更キーは、記号、文字、またはそれらの組み合わせによりなり、設定変更の対象である機能１つに対して予め１つの設定変更キーが割り当てられている。
【００２７】
請求項１９記載の発明は、上記設定変更処理の後、携帯電話端末の装置本体に対して所定の操作が行われると、該設定変更処理での設定変更を解除する設定変更解除処理を実行させることを特徴とする。
【００２８】
請求項２０記載の発明は、設定変更解除処理における上記した所定の操作が、着信呼への応答であることを特徴とする。
【００２９】
請求項２１記載の発明は、設定変更解除処理における上記した所定の操作が、電源のＯＮ／ＯＦＦ切り替えであることを特徴とする。
【００３０】
請求項２２記載の発明は、本発明に係る携帯電話端末が、複数の装置本体が変形可能に構成されてなり、設定変更解除処理における上記した所定の操作は、複数の装置本体の変形であることを特徴とする。
【００３１】
請求項２３記載の発明は、上記した複数の装置本体は、２つの装置本体がヒンジ部を介して接続されて折り畳み式により変形可能とされ、設定変更解除処理における上記した所定の操作は、２つの装置本体を開状態と閉状態とで切り替える操作であることを特徴とする。
【００３２】
請求項２４記載の発明は、上記設定変更処理により設定変更を行わせると、予め定められた一定時間、該設定変更を再度行うことを拒否させることを特徴とする。
【００３３】
請求項２５記載の発明は、設定変更処理における上記した変更内容が、呼び出しの音圧を最大にする設定変更であることを特徴とする。
【００３４】
請求項２６記載の発明は、設定変更処理における上記した変更内容が、呼び出しの音量を消す設定変更であることを特徴とする。
【００３５】
【発明の実施の形態】
次に、本発明に係る携帯電話端末、該端末の設定変更方法、および該端末のプログラムの一実施形態を、図面を用いて詳細に説明する。
【００３６】
本発明の第１の実施形態としての携帯電話１における電気的な処理を行う構成は、図１に示すように、アンテナ１０１と、無線部（ＴＲＸ；送受信部）１０２と、表示手段であるカラーＬＣＤ１１１と、カラーＬＣＤを動かすＬＣＤドライバー１１０と、プログラムに基づいて本携帯電話１の各部を制御する制御部１０３と、プログラムが記録されたＲＯＭ１０８と、メールデータやパスワードなどを記憶するＲＡＭ１０９と、使用者が電話をかけたり、メールを入力したりといった操作を行うためのキースイッチ１０４と、送話の為のマイク１０５と、受話の為のレシーバ１０６と、電話があった時に使用者を呼び出すための報知用スピーカ１０７と、振動により使用者を呼び出すための報知用バイブレータ１１３とを備えて構成される。
【００３７】
また、本携帯電話１が図２に示すように折り畳み式である場合に、折り畳まれた閉状態から開状態にされた時にＬＣＤを表示するなどのために、折り畳み式の装置本体が開状態であるか閉状態であるかを検知するために使われる開閉検知スイッチ１１２を備える。
この開閉検知スイッチは、例えばヒンジ部１Ａ近傍に配設される突起およびその突起により押下される押下型スイッチ、ヒンジ部１Ａに配設されて電気抵抗を検出する電気的スイッチ、マグネットによる磁力を検出するマグネット反応型スイッチなど各種のものであってよい。
【００３８】
また、本実施形態としての携帯電話１では、キースイッチ１０４の内のフックをかけるスイッチ（受話終了スイッチ）が所定の時間押下され続けると電源をＯＦＦにし、キースイッチ１０４の内の何れかのキーから入力がなされると、電源がＯＮにされる。
また、上述した制御部１０３が、ＲＯＭ１０８に記録されたプログラムにより処理を行うことにより、本携帯電話１が本実施形態としての機能を実現する動作を行うよう制御する制御手段として機能する。
こうして、制御部１０３が、無線部１０２から受信したメールデータをＲＡＭ１０９に格納させる処理や、キースイッチ１０４により作成されてＲＡＭ１０９に格納されたメールデータを無線部１０２から送信する処理などを行うことで、この携帯電話１は、メールの送受信機能を実現している。
【００３９】
本実施形態としての携帯電話１は、以上のように構成され、特定の記号とパスワードが入ったメール本文を受信すると、次回の通話呼び出し時、マナーモードである場合には解除し、呼び出し音圧レベルを最大にして、携帯電話紛失時の捜索を容易にする機能を提供する。
【００４０】
次に、第１の実施形態としての携帯電話１における、本発明に係る外部からの設定変更動作について、図３のフローチャートを参照して説明する。
まず、制御部１０３は、携帯電話１にメール着信が有るか否かを判断する（ステップＳ１）。ここでメール着信が無ければ、携帯電話１は、このステップＳ１でメール着信を待つ。メール着信があれば、ステップＳ２へ進む。
制御部１０３は、着信したメール本文に、着呼時に音圧最大で鳴音するなどの“携帯電話捜索モード”への設定変更に対して指定された設定変更キーである“＠＠１”およびそれに続く所定の字数の文字列“ＸＸＸＸ”からなるコードが有るか否かを判断する（ステップＳ２）。メール本文中にそのコードが無ければ、通常のメールの処理に進み、“＠＠１”とそれに続く“ＸＸＸＸ”からなるコードが有れば、その“ＸＸＸＸ”が、あらかじめ使用者がキー操作などにより保存してあったパスワードと一致するかどうかを照合する（ステップＳ３）。
【００４１】
この照合で一致し、有効な設定変更キー“＠＠１”に対する正しいパスワードがメール本文中に含まれていることを検知すると、制御部１０３は、マナーモードを一時解除し、着信時の報知用スピーカ１０７による音圧レベルを最大にし、簡易留守録を一時解除する（ステップＳ４）。
【００４２】
こうして設定変更キーである“＠＠１”による設定変更が行われると、制御部１０３は、その設定変更以降に電源スイッチの操作が行われたか否かを判断し（ステップＳ５）、電源スイッチの操作が行われた場合、ステップＳ４で設定変更した内容を解除し、設定変更以前の状態に復帰させる（ステップＳ１０）。
なお、上記した電源スイッチの操作が行われたか否かの判断は、キースイッチ１０４により携帯電話１の電源をＯＮ／ＯＦＦ切り替えさせるような入力が行われたか否かを判断するものであり、具体的にキースイッチ１０４の内の何れのボタンがその機能を担うかに付いては、機種によって各種のものであってよい。換言すれば、キースイッチ１０４が全体として、使用者からの入力を受ける入力手段として機能すると共に、電源のＯＮ／ＯＦＦを切り替えさせる電源切り替え手段として機能することとしてよい。
【００４３】
設定変更キーである“＠＠１”による設定変更が行われた後、ステップＳ５での電源スイッチの操作が行われていない場合、制御部１０３は、携帯電話１に対する通話呼び出し（着呼）を待つ（ステップＳ６）。
通話呼び出しがあると、報知用スピーカ１０７は音圧最大で鳴音し、紛失した携帯電話捜索を容易にする“携帯電話捜索モード”としての動作を行う（ステップＳ７）。この“携帯電話捜索モード”として、報知用スピーカ１０７を音圧最大で鳴音させると共に、報知用バイブ１１３を最大振幅で振動させることとしてもよい。
【００４４】
“携帯電話捜索モード”の解除（ステップＳ１０）は、通話呼び出しに対して使用者がフックＯＦＦして電話に出るか（ステップＳ８）、上述したステップＳ５での電源スイッチの操作により行われる。
紛失した携帯電話が見つかれば、使用者が電源のＯＮ／ＯＦＦ操作を行うことも電話に出ることも容易であり、“携帯電話捜索モード”から容易に抜け出すことができる。
【００４５】
ここで、設定変更キーである“＠＠１”による“携帯電話捜索モード”としての設定変更が行われた後、その設定変更の解除は、上述したようにステップＳ５での電源ＯＮ／ＯＦＦ切り替えまたはステップＳ８での着信呼（通話呼び出し）への応答を制御部１０３が検出することにより、ステップＳ１０として行われるので、上述したステップＳ７での“携帯電話捜索モード”としての報知用スピーカ１０７による音圧最大での鳴音が、発呼側からの呼び出し終了により携帯電話１の発見前に停止されても（ステップＳ９）、その後で上述したステップＳ５での電源ＯＮ／ＯＦＦ操作が行われない限り、再び通話呼び出しがあれば、制御部１０３は報知用スピーカ１０７を最大鳴音で鳴音させる（ステップＳ７）。
【００４６】
この第１の実施形態としての携帯電話１によれば、受信したメール本文に予め指定された文字列が有る場合、マナーモードに設定されていても鳴音設定を一時的に変更し、最大音圧とすることができる。
すなわち、携帯電話１の場所が分からない状態であっても、外部から携帯電話１の鳴音設定を変更することができ、かつ、パスワードを設定することにより第３者から不本意に設定変更されることを防止することができる。
【００４７】
また、この一時的な設定変更を、電話に出ることまたは電源のＯＮ／ＯＦＦ切り替えを行うことで解除することができる。
すなわち、上記の一時的な設定変更を、使用者に不便を感じさせることなく、自然な操作で容易に解除することができるようにすることができる。
【００４８】
次に、本発明の第２の実施形態としての携帯電話について説明する。この第２の実施形態は、上述した第１の実施形態に、いたずらなどにより不本意に設定変更が何度も行われてしまうことを防止する機能を加えたものである。
上述した第１の実施形態と同様のものについては、構成、動作ステップ共に同じ符号とし、説明を省略する。
【００４９】
この第２の実施形態としての携帯電話における、本発明に係る外部からの設定変更動作について、図４のフローチャートを参照して説明する。
上述した図３におけるステップＳ１からＳ３と同様の動作により、受信したメールの本文に、指定された設定変更キーである“＠＠１”およびそれに続く所定字数の文字列“ＸＸＸＸ”からなるコードが有るか否かを判断し、パスワードと照合した後、前回の設定変更キー“＠＠１”を含むメール受信から１時間経過していない場合（ステップＳ１１；Ｎｏ）、制御部１０３は１時間経過したかを測定するタイマー（不図示）を駆動させる（ステップＳ１２）。
この後のステップＳ４以降のステップＳ５からＳ１０の動作は、上述した第１の実施形態における動作と同様である。
【００５０】
こうしてタイマーを駆動させて１時間経過したか否かを測定することにより、一度“携帯電話捜索モード”としての設定変更が行われると、その後１時間が経過するまでの間は、再度、同じ設定変更キー“＠＠１”およびパスワード“ＸＸＸＸ”からなるコードを本文中に含むメールを受信しても、ステップＳ１１により制御部１０３が設定変更を拒否し、ステップＳ１の待機状態としてしまうため、“携帯電話捜索モード”に外部からメールで設定変更することができないようにすることができる。
【００５１】
このように、第２の実施形態としての携帯電話によれば、上述した第１の実施形態により得られる効果に加えて、外部からのメールでの設定変更を、一度行った後１時間は再び行うことができないようにすることができる。
このことにより、いたずらなどにより不本意に“携帯電話捜索モード”に設定変更されて何度も大鳴音を鳴らされてしまうといった、使用者にとって不本意な設定変更が何度もなされることを回避することができる。
【００５２】
次に、本発明の第３の実施形態としての携帯電話について説明する。この第３の実施形態は、上述した第１、第２の実施形態で、メールにより外部から“携帯電話捜索モード”への設定変更を行うことに替えて、着信音を消すようにする設定変更を行うようにするものである。
上述した第１、第２の実施形態と同様のものについては、構成、動作ステップ共に同じ符号とし、説明を省略する。
【００５３】
この第３の実施形態としての携帯電話における、本発明に係る外部からの設定変更動作について、図５のフローチャートを参照して説明する。
制御部１０３は、上述したステップＳ１で受信したメール本文に、着呼時に着信音を消すモードへの設定変更に対して指定された設定変更キーである“＠＠２”およびそれに続く所定の字数の文字列“ＸＸＸＸ”からなるコードが有るか否かを判断する（ステップＳ２’）。メール本文中にそのコードが無ければ、通常のメールの処理に進み、“＠＠２”とそれに続く“ＸＸＸＸ”からなるコードが有れば、上述したステップＳ３の動作として、その“ＸＸＸＸ”が、あらかじめ使用者がキー操作などにより保存してあったパスワードと一致するかどうか照合する。
【００５４】
パスワードの照合が一致すれば、前回の設定変更キー“＠＠２”を含むメール受信から１時間経過していない場合（ステップＳ１１’；Ｎｏ）、制御部１０３は、上述した第２の実施形態と同様に、１時間経過したかを測定するタイマー（不図示）を駆動させ（ステップＳ１２）、着呼時の着信音を無音とするように設定を変更する（ステップＳ１３）。
【００５５】
こうして設定変更キーである“＠＠２”による設定変更が行われると、制御部１０３は、上述したステップＳ５での電源スイッチの操作が行われていない場合、携帯電話に対する通話呼び出し（着呼）を待ち（ステップＳ６）、通話呼び出しがあっても、報知用スピーカ１０７を鳴音させない（ステップＳ１４）。
【００５６】
こうして“＠＠２”の設定変更キーにより着呼時の着信音を消すモードに設定されると、上述したステップＳ５での電源スイッチの操作が行われるか、上述したステップＳ８として使用者がフックＯＦＦして電話に出るかした場合、制御部１０３は、一時的に設定された着呼時の着信音を消すモードを解除し、設定変更以前の状態に復帰させる（ステップＳ１５）。
【００５７】
このように、第３の実施形態としての携帯電話によれば、上述した第１、第２の実施形態で、“携帯電話捜索モード”への設定変更を行う設定変更キーをメール本文に含ませることに替えて、着信音を消すようにする設定変更キーをメール本文に含ませることで、メールにより外部から着信音を消すように設定変更させることができる。
このことにより、携帯電話を探すのとは異なり、自宅や事務所に置き忘れた携帯電話の着信音を、外出先などから消すことができる。
【００５８】
次に、本発明の第４の実施形態としての携帯電話について説明する。この第４の実施形態は、上述した第１から第３の実施形態で、メールにより外部から設定変更が行われた後、その設定変更の解除を、ステップＳ５での電源スイッチの操作が行われるか、上述したステップＳ８として使用者がフックＯＦＦして電話に出るかした場合としていたのに替えて、ステップＳ５での電源スイッチの操作が行われるか、折り畳み式携帯電話の装置本体が開閉されるかした場合に、設定変更の解除を行うようにするものである。
上述した第１から第３の実施形態と同様のものについては、構成、動作ステップ共に同じ符号とし、説明を省略する。
【００５９】
この第４の実施形態としての携帯電話における、本発明に係る外部からの設定変更動作について、図６のフローチャートを参照して説明する。
この第６のフローチャートに示す動作は、ステップＳ１４で、制御部１０３が通話呼び出しに対しても報知用スピーカ１０７を鳴音させないようにする動作まで、上述した第３の実施形態における図５に示す動作と同様であるが、この通話呼び出しに対して、折り畳み式携帯電話の装置本体が変形されて開状態から閉状態へ、または閉状態から開状態へと切り替えられた場合に、外部からメールによってなされた着信音を消すようにする設定変更を解除する。
すなわち、折り畳み式携帯電話が備える装置本体の開閉を検知する機能を用いて、装置本体が開閉された場合に、外部からメールによってなされた着信音を消すようにする設定変更を解除する。
【００６０】
なお、図６には、この第４の実施形態によるステップＳ１６の動作を、第３の実施形態での着信音を消すモードに対して行うようにした場合の動作例を示したが、第１、第２の実施形態での“携帯電話捜索モード”からの解除検出として行うこととしてもよい。
また、上述した第１から第３の実施形態で、メールにより外部から設定変更が行われた後、その設定変更の解除を、ステップＳ５での電源スイッチの操作が行われるか、上述したステップＳ８として使用者がフックＯＦＦして電話に出るかした場合としていたのに加え、折り畳み式携帯電話の装置本体が開閉された場合も設定変更の解除を行うようにするものとしてもよい。
また、開状態と閉状態との切り替えがなされたか否かの判断基準となる開閉検知スイッチ１１２におけるヒンジ部の角度に対する許容範囲は、機種に応じて各種の程度であってもよく、使用者が程度を設定できる機能をさらに備えてもよい。
【００６１】
このように、第４の実施形態としての携帯電話によれば、メールにより外部から設定変更が行われた後、その設定変更の解除方法として、折り畳み式携帯電話の装置本体が開閉された場合を加えることができる。
このことにより、使用者は携帯電話を開閉させるだけで設定変更状態から抜け出ることができ、電源のＯＮ／ＯＦＦ切り替えなどよりもさらに、設定変更状態からの解除操作に違和感を与えず、簡単に解除操作ができるようにすることができる。
【００６２】
なお、上述した各実施形態は、本発明の好適な実施形態であり、本発明の主旨を逸脱しない範囲内において、種々変形して実施することが可能である。
例えば、設定変更キー、パスワード、コードは、上述したものに限定されず、設定変更キーは、予め定められてキースイッチ１０４により入力可能なものであれば、記号、文字、またはそれらの組み合わせによる任意のものであってよい。また、パスワードは、設定変更キーに対して使用者が任意に設定することとしてもよい。
【００６３】
また、上述した第２から第４の実施形態におけるステップＳ１２でタイマーを駆動させることにより、ステップＳ１１またはＳ１１’で再度の設定変更を拒否する時間は、上述した第２から第４の実施形態では１時間として説明したが、この時間に限定されず、例えば、ユーザが任意に上記時間を設定できる機能をさらに備えてもよい。
【００６４】
また、上述した各実施形態では、装置本体が折り畳み式であるものについて説明したが、第１から第３の実施形態については、装置本体が折り畳み式であるものに限定されず、例えば装置本体がスライド式など他の変形方式により変形可能なものや装置本体が変形可能でないものなど、任意の筐体であってよい。
また、第４の実施形態についても、装置本体が変形可能であるように構成された携帯電話で、その変形を検知する変形検知手段を備えた構成であれば、筐体の変形方式はどのようなものであってもよく、例えばスライド式などであってもよい。すなわち、装置本体が、例えば開状態と閉状態との切り替えなどにより変形された際に、その変形を変形検知手段が検知することで、例えば開状態にされるとＬＣＤが点灯するなど何らかの機能を実現できるように構成されていれば、装置本体を変形可能に接続する方式は任意であってよい。
【００６５】
また、以上に、本発明に係る携帯電話端末を携帯電話に適用したものについて説明したが、無線による電話機能とメール受信機能とを備えて、着呼の際に鳴音での報知が可能な端末装置であればこのものに限定されず、例えばＩＰ（Ｉｎｔｅｒｎｅｔ  Ｐｒｏｔｏｃｏｌ  ）電話端末やテレビ電話端末などであっても本発明は同様に適用可能である。
【００６６】
また、上述した各実施形態では、プログラムは、ＲＯＭ１０８に格納されることとして説明したが、コンピュータが読み取り可能な記録媒体であればこのものに限定されず、例えば、不揮発性のメモリカード，ＥＥＰＲＯＭなどに格納されてもよい。
すなわち、本発明の各実施形態による上述した各機能が、上述した記録媒体から供給されるプログラムによって、携帯電話端末のＣＰＵなどが処理を行うことにより実現されてもよい。
すなわち、記憶媒体から読み出されたプログラムコード自体が本発明の新規な機能を実現することになり、そのプログラムコードを記憶した記憶媒体および該記憶媒体から読み出された信号は本発明を構成することになる。
【００６７】
この本発明に係るプログラムによれば、当該プログラムによって制御される携帯電話端末に、上述した本発明に係る各実施形態としての携帯電話端末における各機能を実現させることができる。
【００６８】
【発明の効果】
以上のように、本発明によれば、受信したメールに設定変更キーおよび該設定変更キーに対するパスワードが含まれている場合、その設定変更キーにより特定される変更内容の設定変更を行うことができる。
このため、電話番号やメールアドレスを固定されることなく、必要な場合に、携帯電話端末の外部から、呼び出しの音圧を最大にするなどの設定変更を行うことができる。
【００６９】
また、上記の設定変更を、電話に出ることまたは電源のＯＮ／ＯＦＦ切り替えを行うことで解除することができる。
すなわち、上記の一時的な設定変更を、使用者に不便を感じさせることなく、自然な操作で容易に解除することができるようにすることができる。
【００７０】
また、上記の設定変更が行われると、予め定められた一定時間、その設定変更を再度行うことを拒否することができる。
このことにより、いたずらなどにより不本意な設定変更を何度もされることを回避することができる。
【図面の簡単な説明】
【図１】本発明の第１の実施形態としての携帯電話１における電気的な処理を行う構成の概要を示すブロック図である。
【図２】本発明の実施形態としての携帯電話が折り畳み式である場合の外観を示す斜視図である。
【図３】本発明の第１の実施形態としての携帯電話１における、本発明に係る外部からの設定変更動作およびその解除動作を示すフローチャートである。
【図４】本発明の第２の実施形態としての携帯電話における、本発明に係る外部からの設定変更動作およびその解除動作を示すフローチャートである。
【図５】本発明の第３の実施形態としての携帯電話における、本発明に係る外部からの設定変更動作およびその解除動作を示すフローチャートである。
【図６】本発明の第４の実施形態としての携帯電話における、本発明に係る外部からの設定変更動作およびその解除動作を示すフローチャートである。
【符号の説明】
１Ａ  ヒンジ部
１０１  アンテナ
１０２  無線部（無線通信手段）
１０３  制御部
１０４  キースイッチ（入力手段および電源切り替え手段）
１０５  マイク
１０６  レシーバ
１０７  報知用スピーカ（鳴音報知手段）
１０８  ＲＯＭ
１１１  カラーＬＣＤ
１１２  開閉検知スイッチ（変形検知手段）
１１３  報知用バイブ
【図１】
2004328245.tif 000003
【図２】
2004328245.tif 000004
【図３】
2004328245.tif 000005
【図４】
2004328245.tif 000006
【図５】
2004328245.tif 000007
【図６】
2004328245.tif 000008